(57)【要約】【課題】施工者が雨水タンクを設置する際に、雨水タンクを所定位置に作業性よく設置することができる雨水タンクの固定構造及び雨水タンクの固定具を提供する。【解決手段】本発明は、雨水を貯留するため設置面３に載置された雨水タンク１と、設置面３に雨水タンク１を固定する固定具５とを備えた雨水タンクの固定構造である。雨水タンク１の左右両側部には、固定具５が装着される被固定部２５が設けられている。固定具５は、設置面固定部と、前方から後方に向かって被固定部２５が装着されるタンク固定部６とを有している。【選択図】図１
2013237972.tif 000002
【特許請求の範囲】
【請求項１】
雨水を貯留するため設置面に載置された雨水タンクと、
前記設置面に前記雨水タンクを固定する固定具と
を備えた雨水タンクの固定構造であって、
前記雨水タンクの左右両側部には、前記固定具が装着される被固定部が設けられており、
前記固定具は、
前記設置面に固定される設置面固定部と、
前方から後方に向かって前記被固定部が装着されるタンク固定部と
を有している
ことを特徴とする雨水タンクの固定構造。
【請求項２】
前記被固定部は、前記雨水タンクの側面から左右方向に突出する筒状吐出部により構成されている
ことを特徴とする請求項１記載の雨水タンクの固定構造。
【請求項３】
前記タンク固定部は、
左右方向に貫通し且つ前方に向かって開口した貫通孔を有する固定板部と、
前記貫通孔内に配置された前記筒状吐出部の前方への抜け止めを行なう規制部と
を備えている
ことを特徴とする請求項２記載の雨水タンクの固定構造。
【請求項４】
前記規制部は前記固定板部の前端部に回動自在に連結された回動板を有しており、
この回動板は、前記筒状吐出部の前後移動を許容する非規制状態と筒状吐出部の前後移動を規制する規制状態とで切り替え可能となっている
ことを特徴とする請求項３記載の雨水タンクの固定構造。
【請求項５】
前記筒状吐出部は着脱自在なキャップを有しており、
前記筒状吐出部が前記貫通孔内に配置され且つ前記回動板が規制状態に切り替えられた状態で前記キャップが装着され、これにより前記回動板の回動が規制されている
ことを特徴とする請求項４記載の雨水タンクの固定構造。
【請求項６】
筒状吐出部を有する雨水タンクを設置面に固定する雨水タンクの固定具であって、
前記設置面に固定される設置面固定部と、
前記雨水タンクの側面に当接又は近接対向するタンク固定部と
を備え、
前記タンク固定部は、
前記設置面固定部から上方に延出した固定板部と、
この固定板部の前端部に回動自在に連結された回動板と、
前記固定板部と前記回動板とに跨って形成され且つ左右方向に貫通し、前記筒状吐出部が挿通される貫通孔と
を有しており、
前記回動板が回動すると前記貫通孔が前方に向かって開口し、前記筒状吐出部が前方から後方に向かって装着可能な状態となる
ことを特徴とする雨水タンクの固定具。
【発明の詳細な説明】
【技術分野】
【０００１】
本発明は、雨水タンクの固定構造及び雨水タンクの固定具に関する。
【背景技術】
【０００２】
従来、雨水タンクが設置面に固定された固定構造が知られている（例えば特許文献１参照）。
【０００３】
この特許文献１記載の貯水タンクには、背面上部にフック部材が設けられている。フック部材には、チェーンやワイヤー等の紐状部材が挿通される。紐状部材は、フック部材に通された状態で、その両端が地面に打設されて固定される。これによりこの貯水タンクは、地面に固定されている。
【先行技術文献】
【特許文献】
【０００４】
【特許文献１】特開２０１１−１７４２６２号公報
【発明の概要】
【発明が解決しようとする課題】
【０００５】
ところで特許文献１記載の貯水タンクは、通常、建物壁面に近接するようにして取り付けられる。しかしながら、この特許文献１記載の貯水タンクを固定するには、施工者は、背面上部のフック部材に紐状部材を通し、貯水タンクと建物壁面との間の地面に紐状部材の両端を固定しなければならない。このとき施工者は、貯水タンクと建物壁面との間の狭いスペースで作業を行なう必要があるため、作業効率が悪かった。
【０００６】
本発明は、上記事情に鑑みてなされたものであり、その目的とするところは、施工者が雨水タンクを設置する際に、雨水タンクを所定位置に作業性よく設置することができる雨水タンクの固定構造及び雨水タンクの固定具を提供することにある。
【課題を解決するための手段】
【０００７】
本発明の雨水タンクの固定構造は、雨水を貯留するため設置面に載置された雨水タンクと、前記設置面に前記雨水タンクを固定する固定具とを備えた雨水タンクの固定構造であって、前記雨水タンクの左右両側部には、前記固定具が装着される被固定部が設けられており、前記固定具は、前記設置面に固定される設置面固定部と、前方から後方に向かって前記被固定部が装着されるタンク固定部とを有していることを特徴とする。
【０００８】
またこの雨水タンクの固定構造において、前記被固定部は、前記雨水タンクの側面から左右方向に突出する筒状吐出部により構成されていることが好ましい。
【０００９】
またこの雨水タンクの固定構造において、前記タンク固定部は、左右方向に貫通し且つ前方に向かって開口した貫通孔を有する固定板部と、前記貫通孔内に配置された前記筒状吐出部の前方への抜け止めを行なう規制部とを備えていることが好ましい。
【００１０】
またこの雨水タンクの固定構造において、前記規制部は前記固定板部に回動自在に連結された回動板を有しており、この回動板は、前記筒状吐出部の前後移動を許容する非規制状態と筒状吐出部の前後移動を規制する規制状態とで切り替え可能となっていることが好ましい。
【００１１】
またこの雨水タンクの固定構造において、前記筒状吐出部は着脱自在なキャップを有しており、前記筒状吐出部が前記貫通孔内に配置され且つ前記回動板が規制状態に切り替えられた状態で前記キャップが装着され、これにより前記回動板の回動が規制されていることが好ましい。
【００１２】
本発明の雨水タンクの固定具は、筒状吐出部を有する雨水タンクを設置面に固定する雨水タンクの固定具であって、前記設置面に固定される設置面固定部と、前記雨水タンクの側面に当接又は近接対向するタンク固定部とを備え、前記タンク固定部は、前記設置面固定部から上方に延出した固定板部と、この固定板部の前端部に回動自在に連結された回動板と、前記固定板部と前記回動板とに跨って形成され且つ左右方向に貫通し、前記筒状吐出部が挿通される貫通孔とを有しており、前記回動板が回動すると前記貫通孔が前方に向かって開口し、前記筒状吐出部が前方から後方に向かって装着可能な状態となることを特徴とする。
【発明の効果】
【００１３】
本発明の雨水タンクの固定構造によれば、固定具に対して前方から後方に向かって雨水タンクを装着できるため、施工者は、固定具を予め地面に固定した状態で、雨水タンクを移動させて設置することができる。このとき固定具は雨水タンクの左右両側部に配置されるため、建物壁面と雨水タンクとの間のスペースで固定作業を行なわないようにできる。これにより、施工者は、雨水タンクを所定位置に作業性よく設置することができる。
【００１４】
本発明の雨水タンクの固定具によれば、回動板を回動させるだけで、貫通孔を前方に向かって開口させることができるため、予め地面に固定しておいたとしても、貫通方向に直角な方向から筒状吐出部を通すことができる。これにより、施工者は、予め固定具を地面に固定した上で雨水タンクを設置することができ、雨水タンクを所定位置に作業性よく設置することができる。
【図面の簡単な説明】
【００１５】
【図１】（ａ）〜（ｄ）は、本実施形態において、固定具に雨水タンクを設置する状態を説明するための要部斜視図である。
【図２】本実施形態の雨水タンクの斜視図である。
【図３】本実施形態の固定具の斜視図である。
【図４】本実施形態の固定具であり（ａ）は正面図であり（ｂ）は左側面図であり（ｃ）は右側面図であり（ｄ）は平面図である。
【図５】本実施形態において、雨水タンクを固定具に設置する直前の状態を示す側面図である。
【図６】本実施形態において、雨水タンクを固定具に設置する直前の状態を示す斜視図である。
【図７】本実施形態の雨水タンクの使用状態を示す正面図である。
【発明を実施するための形態】
【００１６】
以下、本発明の実施形態について添付図面に基づいて説明する。
【００１７】
本実施形態の雨水タンク１の固定構造は、図２に示されるように、雨水タンク１と、固定具５とを備えている。雨水タンク１は、設置面３に載置される。固定具５は、雨水タンク１を設置面３に固定する。
【００１８】
設置面３は、雨水タンク１を設置するための載置面である。設置面３は、例えば、地面や、コンクリート床などが挙げられる。設置面３は、水平な面が望ましいが、水平面に限られない。
【００１９】
雨水タンク１は、図２に示されるように、タンク本体２と、蓋部材４とを備えている。タンク本体２は、上方が開口した有底箱形状に形成されている。タンク本体２は、断面略楕円形状に形成されている。タンク本体２は、平面視において長さと幅とを有している。幅は、長さ方向に直交する。タンク本体２は、高さを有している。タンク本体２は、内部に雨水を貯留できるようになっている。タンク本体２は設置面３に載置される。蓋部材４はタンク本体２の上方の開口に着脱自在に取り付けられる。
【００２０】
なお、図２に示されるように、雨水タンク１において、背面から見て（図２において紙面手前側から見て）長さ方向の右側に向かう方向が第１の方向８０として定義される。また第１の方向８０とは反対側に向かう方向が第２の方向８１として定義される。また雨水タンク１の長さ方向は、左右方向として定義される。また、左右方向に直角な方向が前後方向として定義される。特に、雨水タンク１から前側に向かう方向が前方向８２として定義される。またその反対側に向かう方向が後方向８３として定義される。
【００２１】
タンク本体２は、取水口２１と、排水口２２と、蛇口部（図示せず）と、筒状吐出部２７と、収容凹所２４とを備えている。蛇口部は、タンク本体２の前方の下部に設けられている。蛇口部からは、タンク本体２内に貯留された雨水が吐水される。
【００２２】
取水口２１は、タンク本体２内に雨水を取り込むために設けられている。取水口２１は、タンク本体２の後方８３側の上端部に設けられている。取水口２１は、例えば、タンク本体２において第１の方向８０の先端側に配置される。取水口２１は、図７に示されるように、取水用ホース９４を介して竪樋に連通接続される。
【００２３】
排水口２２は、タンク本体２に溜められた雨水が所定の量を超えると、その超えた分の雨水を排水するために設けられる。排水口２２は、タンク本体２の後方８３側の上端部に設けられている。排水口２２は、タンク本体２において第２の方向８１の先端側に配置される。排水口２２は、図７に示されるように、排水用ホース９５を介して竪樋に連通接続される。排水口２２は、取水口２１と略同じ高さに設けられている。
【００２４】
筒状吐出部２７は、タンク本体２の内部に残った雨水を排水するために設けられている。本実施形態の筒状吐出部２７は、タンク本体２の内部底面に近接するよう配置されている。
【００２５】
筒状吐出部２７は、固定具５をタンク本体２に装着するためにも用いられる。言い換えると、本実施形態の筒状吐出部２７は、排水用の吐出口と被固定部２５とを兼用している。詳しくは、後に詳述する。
【００２６】
筒状吐出部２７は、タンク本体２の下端部に設けられている。筒状吐出部２７は、図６に示されるように、タンク本体２の第１の方向８０の先端側と、第２の方向８１の先端側とに設けられている。言い換えると、筒状吐出部２７は、タンク本体２の左右両側部に設けられている。ここで、第１の方向８０の先端側の筒状吐出部２７は、第１の筒状吐出部２７２として定義される。第２の方向８１の先端側の筒状吐出部２７は、第２の筒状吐出部２７３として定義される。これら筒状吐出部２７は、収容凹所２４内に収容配置されている。
【００２７】
筒状吐出部２７は、タンク本体２の側面から水平方向に向かって突出している。より詳しく説明すると、第１の筒状吐出部２７２は、タンク本体２の側面から第１の方向に突出している。第２の筒状吐出部２７３は、タンク本体２の側面から第２の方向に突出している。各筒状吐出部２７２，２７３は、水平方向に長さを有している。各筒状吐出部２７２，２７３は、吐出口（図示せず）を有している。吐出口は、各筒状吐出部２７２，２７３の先端に設けられている。吐出口は、タンク本体２の内部に連通している。
【００２８】
筒状吐出部２７は、キャップ２７１を有している。キャップ２７１は、吐出口を塞ぐようにして取り付けられる。キャップ２７１の内面には、雄ねじ部（図示せず）が形成されている。筒状吐出部２７の外面には、雌ねじ部（図示せず）が形成されている。これによりキャップ２７１は、筒状吐出部２７に着脱自在に取り付けられる。
【００２９】
タンク本体２は、複数の収容凹所２４を有している。収容凹所２４は、タンク本体２の下端部に設けられている。収容凹所２４は、タンク本体２の下端部の左右方向の両端部に設けられている。収容凹所２４は、図６に示されるように、対向面２８と、奥面２４１とを有している。筒状吐出部２７は、対向面２８から突出している。筒状吐出部２７は、奥面２４１の後方に位置している。言い換えると奥面２４１は、筒状吐出部２７を前方から覆う。これにより筒状吐出部２７は、前方から見えないようになっている。
【００３０】
対向面２８は、固定具５が当接又は近接対向する面である。対向面２８は、鉛直面により構成されている。第１の筒状吐出部２７２が設けられた対向面２８は、第１の方向８０に臨んでいる。第２の筒状吐出部２７３が設けられた対向面２８は、第２の方向８１に臨んでいる。対向面２８は筒状吐出部２７の基端部に設けられている。
【００３１】
固定具５は、雨水タンク１を設置面３に固定する。固定具５は、図３，４に示されるように、設置面固定部５１と、タンク固定部６と、奥面当接部６９とを備えている。
【００３２】
設置面固定部５１は、設置面３に固定される。設置面３に対する設置面固定部５１の固定は、アンカーボルト等の固着具を介して行われる。設置面固定部５１には、固着具を挿通するための固着具挿通孔５２が複数箇所に穿設されている。
【００３３】
タンク固定部６には、雨水タンク１の筒状吐出部２７が装着される。言い換えると、タンク固定部６には、被固定部２５が装着される。タンク固定部６は、固定板部６１と、回動板６２と、貫通孔６３とを備えている。
【００３４】
固定板部６１は、設置面固定部５１から上方に延出している。固定板部６１は、鉛直面により構成されている。固定板部６１は、前後方向に幅を有すると共に上下方向に長さを有し、これにより、板状に形成されている。固定板部６１は、雨水タンク１の対向面２８に当接又は近接対向する。固定板部６１は、その主面が左右方向に臨むよう配置される。
【００３５】
回動板６２は、固定板部６１の前端部に回動自在に連結されている。回動板６２の回転軸は、鉛直方向に長さを有している。回動板６２は、固定板部６１に面一となる位置から固定板部６１に対して鋭角となるよう回動する位置まで回動するようになっている。なお、回動板６２は、固定板部６１に面一となる位置から、固定板部６１にぴったり重ねられる位置まで回動してもよい。
【００３６】
貫通孔６３は、タンク固定部６に設けられている。貫通孔６３は、固定板部６１と回動板６２とに跨って形成されている。貫通孔６３は、固定板部６１及び回動板６２の厚み方向に貫通する。貫通孔６３には、図１（ｄ）に示されるように、雨水タンク１の筒状吐出部２７が挿通される。貫通孔６３は、図３に示されるように、第１の貫通部６３１と、第２の貫通部６３２とから構成されている。第１の貫通部６３１は、固定板部６１に設けられている。また、第２の貫通部６３２は、回動板６２に設けられている。
【００３７】
第１の貫通部６３１は、左右方向に貫通し且つ前方に向かって開口する。第１の貫通部６３１は、前方に向かって開口する前方開口６３３を有している。言い換えると、第１の貫通部６３１は、側面視横倒し略Ｕ字状に形成されている。第１の貫通部６３１には、雨水タンク１の筒状吐出部２７が前方から後方に向かって通される。これにより、第１の貫通部６３１内に筒状吐出部２７が配置されるようになっている。
【００３８】
第２の貫通部６３２は、回動板６２に設けられている。第２の貫通部６３２は、厚み方向に貫通し且つ前方に向かって開口する。第２の貫通部６３２は、第１の貫通部６３１の前方開口６３３に向かって開口する。言い換えると、第２の貫通部６３２は、側面視横倒し略Ｕ字状に形成されている。第２の貫通部６３２は、図１に示されるように、第１の貫通部６３１よりも大きく形成されている。また第２の貫通部６３２の貫通方向とは直角な方向へ向かう開口は、第１の貫通部６３１の貫通方向とは直角な前方へ向かう開口（つまり前方開口６３３）と重合されている。これにより、第２の貫通部６３２と第１の貫通部６３１とは、環状の開口周縁を形成する。
【００３９】
第２の貫通部６３２の切欠深さは、少なくとも、対向面２８から筒状吐出部２７の先端までの長さよりも深く形成されている。言い換えると、第２の貫通部６３２の深さは、筒状吐出部２７の突出長さよりも長くなっている。これにより、回動板６２は、図１に示されるように、第１の貫通部６３１内に筒状吐出部２７が配置された状態で、回動自在となっている。
【００４０】
回動板６２は、図１に示されるように、非規制状態（図１（ａ）（ｂ）（ｃ））と、規制状態（図１（ｄ））とで切り替えが可能となっている。非規制状態に回動板６２が切り替えられると、第１の貫通部６３１への筒状吐出部２７の前後移動を許容する。第１の貫通部６３１内に筒状吐出部２７が配置された状態で、規制状態に回動板６２が切り替えられると、筒状吐出部２７の前後移動が規制される。つまり、回動板６２は、貫通孔６３内に配置された筒状吐出部２７の前方への抜け止めを行なう。言い換えると回動板６２は、規制部６４を構成する。
【００４１】
また固定具５は、図３に示されるように、奥面当接部６９を有している。奥面当接部６９は、図１に示されるように、雨水タンク１の収容凹所２４の奥面２４１に当接する。奥面当接部６９は、設置面固定部５１の前方向の先端から上方に向かって延出している。
【００４２】
次に、施工者が、固定具５を用いて雨水タンク１を固定する場合につき説明する。
【００４３】
施工者は、図６に示すように、設置面３における所定の位置に一対の固定具５を配置する。このとき、固定具５の固定板部６１間の距離が、雨水タンク１の対向面２８間の距離と、略同じとなるよう固定具５を配置する。施工者は、設置面固定部５１の固着具挿通孔５２に、アンカーボルトを打入する。これにより、固定具５は、設置面３に固定される。なお本実施形態において、固定具５は、図５に示されるように、建物壁面の近くに配置される。
【００４４】
このとき施工者は、固定具５の回動板６２を非規制状態に切り替えておく。
【００４５】
施工者は、筒状吐出部２７のキャップを取り外す。施工者は、固定具５の前方に雨水タンク１を配置する。施工者は、雨水タンク１を設置面３に沿って後方向にスライド移動させる。施工者は、固定具５の奥面当接部６９に収容凹所２４の奥面２４１が当接するまで、雨水タンク１を移動させる。
【００４６】
このとき、図１に示すように、雨水タンク１の対向面２８が固定板部６１に沿って移動し、筒状吐出部２７が前方から後方に向かって移動する。筒状吐出部２７は、第１の貫通部６３１の前方開口６３３を通過して貫通孔６３内に配置される（図１（ｂ））。この後、施工者は、固定具５の回動板６２を規制状態に切り替える（図１（ｃ））。すると、回動板６２は、雨水タンク１の対向面２８に当接又は近接対向する。この状態で、施工者は、キャップ２７１を装着する。キャップ２７１は、規制状態に切り替えられた回動板６２の回動を規制する。これにより、本実施形態の固定構造は、回動板６２の規制状態を保持する。
【００４７】
雨水タンク１が所定の位置に配置されると、図２に示されるように、固定具５は、収容凹所２４内に収容配置される。これにより、前方側から見ると、固定具５は、奥面部の後方に隠れて、目立たないようになっている。
【００４８】
建物の壁面に沿って配置された雨水タンク１は、図７に示されるように、竪樋に接続される。竪樋は、第１の竪樋９０と、第２の竪樋９１とを備えている。第１の竪樋９０は、第２の竪樋９１の上流側に配置されている。竪樋には取水装置９２が接続されている。取水装置９２は、雨水取込口９２１と、第１の分岐口９２２と、第２の分岐口９２３とを備えている。第１の分岐口９２２と第２の分岐口９２３とは、雨水取込口９２１から分岐している。雨水取込口９２１には、第１の竪樋９０が接続される。第２の分岐口９２３には、第２の竪樋９１が接続される。第１の分岐口９２２と雨水タンク１の取水口２１との間には、取水用ホース９４が接続される。
【００４９】
第１の竪樋９０を流下した雨水は、雨水取込口９２１から取水装置９２に流入する。そして、雨水の一部または全部が、第１の分岐口９２２に流入する。
【００５０】
また雨水タンク１の排水口２２は、排水用ホース９５を介して竪樋に連通接続される。竪樋には排水装置９３が接続されている。排水装置９３は、第１の取込口９３１と、第２の取込口９３２と、雨水流出口９３３とを備えている。第１の取込口９３１と第２の取込口９３２とは、雨水流出口９３３に連通している。第１の取込口９３１と雨水タンク１の排水口２２とは、排水用ホース９５を介して接続される。第２の取込口９３２は、第２の竪樋９１に接続される。雨水流出口９３３は、排水溝に接続される。
【００５１】
以上説明したように、本実施形態の雨水タンク１の固定構造は、雨水タンク１と、固定具５とを備えている。雨水タンク１は、雨水を貯留するため設置面３に載置されている。固定具５は、雨水タンク１を設置面３に固定する。雨水タンク１の左右両側部には、被固定部２５が設けられている。また、固定具５は、設置面固定部５１と、タンク固定部６とを有している。設置面固定部５１は、設置面３に固定される。タンク固定部６は、前方から後方に向かって移動する被固定部２５が装着される。
【００５２】
このように本実施形態の雨水タンク１の固定構造によれば、雨水タンク１の被固定部２５が、固定具５に前方から後方に向かって装着可能である。このため、例えば、建物壁面に沿って雨水タンク１を配置したい場合に、施工者は、予め固定具５を固定し、この固定具５に向かって前方から後方に向かって雨水タンク１を移動させて雨水タンク１を設置できる。つまり、雨水タンク１を持ち上げることなく、所定の位置に設置することができる。しかも、固定具５は、雨水タンク１の左右両側部に配置されるため、建物壁面と雨水タンク１との間のスペースでの固定作業を必要としない。これにより、施工者は、雨水タンク１を所定位置に作業性よく設置することができる。
【００５３】
また、本実施形態の雨水タンク１の固定構造の被固定部２５は、筒状吐出部２７により構成されている。筒状吐出部２７は、雨水タンク１の側面から左右方向に突出する。
【００５４】
このように、本実施形態の雨水タンク１の固定構造は、被固定部２５として、筒状吐出部２７を用いているため、既に製造された雨水タンク１に対して、新たに被固定部２５を付加することなく、雨水タンク１を設置面３に固定することができる。
【００５５】
また本実施形態のタンク固定部６は、固定板部６１と、規制部６４とを備えている。固定板部６１は、左右方向に貫通し且つ前方に向かって開口する。規制部６４は、貫通孔６３内に配置された筒状吐出部２７の前方への抜け止めを行なう。
【００５６】
このように本実施形態の固定具５は、規制部６４を有しているため、固定板部６１の貫通孔６３内に配置された筒状吐出部２７が、上下方向だけでなく前方へ移動するのを規制することができる。これにより、雨水タンク１の筒状吐出部２７が、固定板部６１の貫通孔６３から抜けてしまうのを防ぐことができる。
【００５７】
また本実施形態の規制部６４は、前記固定板部６１の前端部に回動自在に連結された回動板６２を有している。回動板６２は、非規制状態と規制状態とで切り替え可能である。非規制状態の回動板６２は、貫通孔６３に向かう筒状吐出部２７の前後移動を許容する。非規制状態の回動板６２は、貫通孔６３内に配置された筒状吐出部２７の前後移動を規制する。
【００５８】
このように本実施形態の固定具５によれば、回動板６２を回動させるだけで、非規制状態から規制状態へと切り替えることができるため、施工者の作業性を一層向上させることができる。
【００５９】
また本実施形態の筒状吐出部２７は着脱自在なキャップ２７１を有している。筒状吐出部２７が貫通孔６３内に配置され且つ回動板６２が規制状態に切り替えられた状態で、キャップ２７１が装着される。これにより回動板６２の回動が規制されている。
【００６０】
このように本実施形態の雨水タンク１の固定構造は、回動板６２の規制状態がキャップ２７１により保持される。このため、施工者は、キャップを装着するという簡単な作業で雨水タンク１を設置面３に固定することができる。
【００６１】
また本実施形態の固定具５は、設置面固定部５１と、タンク固定部６とを備えている。設置面固定部５１は、設置面３に固定される。タンク固定部６は、雨水タンク１の側面に当接又は近接対向する。またタンク固定部６は、固定板部６１と、回動板６２と、貫通孔６３とを有している。固定板部６１は、設置面固定部５１から上方に延出する。回動板６２は、固定板部６１の前端部に回動自在に連結されている。貫通孔６３は、固定板部６１と回動板６２とに跨って形成されている。貫通孔６３は左右方向に貫通する。回動板６２が回動すると、貫通孔６３が前方に向かって開口し、これにより筒状吐出部２７が前方から後方に向かって装着可能な状態となる。
【００６２】
このように本実施形態の固定具５は、回動板６２を回動させるだけで、貫通孔６３を前方に向かって開口させることができる。このため、予め固定具５を地面に固定しておいたとしても、前方から後方に向かって筒状吐出部２７を通すことができる。これにより、施工者は、予め固定具５を地面に固定した上で雨水タンク１を設置することができ、雨水タンク１を所定位置に作業性よく設置することができる。
【００６３】
しかも、本実施形態の固定具５は、雨水タンク１の収容凹所２４内に配置される。収容凹所２４は、後方及び側方に開口している。このため、固定具５は、前方から見ると、雨水タンク１に隠れて見えない位置に配置される。これにより、固定具５を目立たないよう配置できる。この結果、雨水タンク１の設置後の外観を向上させることができる。
【００６４】
なお、本実施形態の規制部６４は、回動板６２により構成されていたが、本発明の規制部６４は、回動板６２に限定されない。例えば、貫通孔６３内に筒状吐出部２７が配置された状態で、貫通孔６３の前方開口６３３をピン等で閉じ、これにより筒状吐出部２７の移動を規制するものであってもよい。
【符号の説明】
【００６５】
１      雨水タンク
２      タンク本体
２１    取水口
２２    排水口
２３    吐出口部
２４    収容凹所
２４１  奥面
２５    被固定部
２７    筒状吐出部
２７１  キャップ
２７２  第１の筒状吐出部
２７３  第２の筒状吐出部
２８    対向面
３      設置面
４      蓋部材
５      固定具
５１    設置面固定部
５２    固着具挿入孔
６      タンク固定部
６１    固定板部
６２    回動板
６３    貫通孔
６３１  第１の貫通部
６３２  第２の貫通部
６３３  前方開口
６４    規制部
６９    奥面当接部
８０    第１の方向
８１    第２の方向
８２    前方
８３    後方
【図１】
2013237972.tif 000003
【図２】
2013237972.tif 000004
【図３】
2013237972.tif 000005
【図４】
2013237972.tif 000006
【図５】
2013237972.tif 000007
【図６】
2013237972.tif 000008
【図７】
2013237972.tif 000009